(57)【要約】【課題】音源となるスピーカーユニットの音圧方向特性が、聴者の両耳を繋ぐ軸上とは大きく異なる方向に配置できることを特徴とすることで、自然な音の広がりを感じられ、臨場感も得やすい。さらには、首掛け式とすることで、設置場所を気にする必要がなく、いつでも何処でも、気軽に音楽の視聴や、テレビ、その他メディアの視聴が楽しめるスピーカーを提供する。【解決手段】聴者の耳と非接触状態で首掛けを可能にした首掛け式スピーカーであって、聴者の首の背に接する湾曲した部分を有したベース部（１）と、音源となるスピーカー前面が湾曲した部分の内側近辺方向を向くように、このベース部の先端の一方または両方に、固定または可変可能に設けたスピーカーユニット（２）とを備えた首掛け式スピーカーである。【選択図】図１
2009201088.tif 000002
【特許請求の範囲】
【請求項１】
聴者の耳と非接触状態で首掛けを可能にした首掛け式スピーカーであって、聴者の首の背に接する湾曲した部分を有したベース部（１）と、音源となるスピーカー前面が湾曲した部分の内側近辺方向を向くように、このベース部の先端の一方または両方に、スピーカーの角度を固定または可変可能に設けたスピーカーユニット（２）とを備えた首掛け式スピーカー。
【請求項２】
ベース部の全体または一部が、フレキシブルな材質から成り、任意の形状に変位自在で、かつ、変位後の形状を保持できるようにされていることを特徴とした請求項１記載の首掛け式スピーカー。
【請求項３】
ベース部の先端の一方または両方には、音源となるスピーカーの前面が湾曲した部分の内側を向くようにスピーカーの角度を可変可能にするため、スピーカーユニットを回動可能に保持する調整部（４）が備えられていることを特徴とする請求項１、請求項２のいずれか記載の首掛け式スピーカー。
【請求項４】
調整部には、音源となるスピーカーの前面が湾曲した部分の内側を向くようにスピーカーの角度を可変可能にするため、ボールジョイント方式の管状アーム部（１ｂ）が連結されていることを特徴とする請求項３記載の首掛け式スピーカー。
【請求項５】
ベース部の先端には支持部（５）が備えられ、スピーカーユニットを支持するフレキシブルアーム部（１ａ）が、この支持部を中心にフレキシブルアーム部が回動可能またはスライド可能に支持されていることを特徴とする請求項１、請求項３、および請求項４のいずれか記載の首掛け式スピーカー。
【請求項６】
スピーカーユニットとベース部とは、スピーカーユニットを支持する支持部（５）がベース部上でスライドまたは固定可能な構造にされていることを特徴とする請求項１、請求項３、請求項４および請求項５のいずれか記載の首掛け式スピーカー。
【請求項７】
ベース部の一方の先端部に第一のフロント支持部（５ａ）と、この第一のフロント支持部に回動可能に取り付けられる第一のフロントスピーカーユニット（２ａ）と、ベース部の他方の先端部に第二のフロント支持部（５ｂ）と、この第二のフロント支持部に回動可能に取り付けられる第二のフロントスピーカーユニット（２ｂ）と、ベース部の湾曲した部分と第一のフロント支持部との間に設けられる第一のリア支持部（５ｃ）と、この第一のリア支持部に回動可能に取り付けられる第一のリアスピーカーユニット（２ｃ）と、ベース部の湾曲した部分と第二のフロント支持部との間に設けられる第二のリア支持部（５ｄ）と、この第二のリア支持部に回動可能に取り付けられる第二のリアスピーカーユニット（２ｄ）とを備えたことを特徴とする請求項１ないし請求項６のいずれかに記載の首掛け式スピーカー。
【請求項８】
ベース部の両先端に、先端同士を、着脱自在に連結および解結を可能とする着脱部（１１）を備えたことを特徴とする請求項１ないし請求項７のいずれかに記載の首掛け式スピーカー。
【発明の詳細な説明】
【技術分野】
【０００１】  本発明は、聴者の耳と非接触状態で首掛けを可能にした首掛け式スピーカーに関するものである。
【背景技術】
【０００２】  従来、近似分野のヘッドホンにおいては、様々なものがある。ヘッドホンにおける小型スピーカーユニットは、耳に接触又は接近する構造であるか、または耳内部に収める構造である。骨伝道方式を利用する場合も、側頭部などに接触するものである。また、スピーカーユニットに関しても多種多様なものが存在する。スピーカーユニットを別用途のものと組み合わせた例も多数ある。
（特許文献１）【０００３】  また、一つの台座部分にフレキシブルアームが左右２本接続され、それぞれのフレキブルアーム先端部にスピーカーユニットが連結された形態を持つ商品もある。また、耳からスピーカーユニットまでの距離を少し離して使用するタイプのヘッドホンもある。
（特許文献２）【０００４】  また、首や肩に掛けて使用するスピーカーとして、略コの字型のベース部の後頭部付近に、小型スピーカーが内蔵された商品もある。
【特許文献１】特開２００３−３２５２９７
【特許文献２】特開平１１−２８５０９０
【発明の開示】
【発明が解決しようとする課題】
【０００５】  そのために従来は、次のような問題点があった。
（イ）従来ヘッドホンは、両耳を繋ぐ軸方向に音の発生源があり、音圧の中心方向と、両耳を繋ぐ軸と、が同一軸上にあるため、自然な音の広がりを感じにくく、臨場感も得にくい場合が多い。
（ロ）従来ヘッドホンは、スピーカーユニットが耳に接触又は近すぎる事から、頭内部を限定として音場が形成され、自然な音の広がりを感じにくく、臨場感を得にくい場合が多い。
（ハ）従来ヘッドホンは、スピーカーユニットが耳に接触又は近過ぎる事により生ずる圧迫感や違和感、長時間使用による疲労感、耳が痒くなったり、痛くなったりするような不快感を感ずる場合がある。
（ニ）従来ヘッドホンは、スピーカーユニットが耳に接触する構造の場合には、老廃物付着による衛生面での懸念もある。
（ホ）ヘッドホンにおいて、頭部にバンド式などで弾性固定するものにあっては、装着することによる圧迫感や違和感を感ずる場合があるし、ヘアースタイルが乱れる心配もある。
（ヘ）骨伝道ヘッドホンにおいて、左右のこめかみ付近を両側から挟みこむように装着するものにあっては、装着することによる圧迫感や違和感などを感ずる場合がある。
（ト）（特許文献１）などのように別用途のものと組み合わせたような場合においては、主にその別用途に使用範囲が限定される傾向がある為、汎用性に乏しいケースが多い。
（チ）一般的に据置型スピーカーは、当然ながら、スピーカーを置いておく固定スペースが必要となる。携帯型で持ち運び可能と言われる小型スピーカーにおいても、同様である。
そのために、例えば、携帯型音響再生装置をポケットに入れて、音楽を携帯型スピーカーで再生する場合にも、テーブルなどの置き場所が近くに必要である。近くにテーブルなどがない場合には、携帯型スピーカーを手に持っておかなくてはならず、不便である。一つの台座部分にフレキシブルアームが左右２本接続され、それぞれのフレキシブルアーム先端にスピーカーが連結された形態を持つ据置型スピーカーユニットにおいも、置き場所が必要である点は同様である。更に、据置型スピーカーは、スピーカーユニットから使用者までの距離が遠い場合は音量を大きくしなければ聞こえづらいし、音量を小さくすると、臨場感に欠けるなどの問題がある。
（リ）（特許文献２）は、頭部固定による負荷重量が大きく、装着することによる圧迫感や違和感が大きくなる懸念もあるし、ヘアースタイルが乱れる心配は、払拭できていない。
（ヌ）首や肩に掛けて使用する首掛けスピーカーとして、略コの字型のベース部の後頭部付近に、小型スピーカーが内蔵されたものにおいては、小型内蔵スピーカーが後頭部付近に固定されている為、音が後ろから聞こえてくる感覚であり、映画鑑賞に使用している時などに、台詞が聞き取りにくいといった場合もある。また、構造上、フロントスピーカーとして使用できないことから、臨場感ある音楽や映画の鑑賞には不向きである。
【課題を解決するための手段】
【０００６】  そのため請求項１記載の本発明は、聴者の耳と非接触状態で首掛けを可能にした首掛け式スピーカーであって、聴者の首の背に接する湾曲した部分を有したベース部（１）と、音源となるスピーカー前面が湾曲した部分の内側近辺方向を向くように、このベース部の先端の一方または両方に、スピーカーの角度を固定または可変可能に設けたスピーカーユニット（２）とを備えた首掛け式スピーカーである。【０００７】  請求項２記載の本発明は、ベース部の全体または一部が、フレキシブルな材質から成り、任意の形状に変位自在で、かつ、変位後の形状を保持できるようにされていることを特徴とする首掛け式スピーカーである。【０００８】  請求項３記載の本発明は、ベース部の先端の一方または両方には、音源となるスピーカーの前面が湾曲した部分の内側を向くようにスピーカーの角度を可変可能にするため、スピーカーユニットを回動可能に保持する調整部（４）が備えられていることを特徴とする首掛け式スピーカーである。【０００９】  請求項４記載の本発明は、請求項３記載の首掛け式スピーカーの調整部には、音源となるスピーカーの前面が湾曲した部分の内側を向くようにスピーカーの角度を可変可能にするため、ボールジョイント方式の管状アーム部（１ｂ）が連結されていることを特徴としている。【００１０】  請求項５記載の本発明は、ベース部の先端には支持部（５）が備えられ、スピーカーユニットを支持するフレキシブルアーム部（１ａ）が、この支持部を中心にフレキシブルアーム部が回動可能またはスライド可能に支持されていることを特徴とする請求項１、請求項３、および請求項４のいずれか記載の首掛け式スピーカーである。【００１１】  請求項６記載の本発明は、スピーカーユニットとベース部とは、スピーカーユニットを支持する支持部（５）がベース部上でスライドまたは固定可能な構造にされていることを特徴とする請求項１、請求項３、請求項４および請求項５のいずれか記載の首掛け式スピーカーである。【００１２】  請求項７記載の本発明は、ベース部の一方の先端部に第一のフロント支持部（５ａ）と、この第一のフロント支持部に回動可能に取り付けられる第一のフロントスピーカーユニット（２ａ）と、ベース部の他方の先端部に第二のフロント支持部（５ｂ）と、この第二のフロント支持部に回動可能に取り付けられる第二のフロントスピーカーユニット（２ｂ）と、ベース部の湾曲した部分と第一のフロント支持部との間に設けられる第一のリア支持部（５ｃ）と、この第一のリア支持部に回動可能に取り付けられる第一のリアスピーカーユニット（２ｃ）と、ベース部の湾曲した部分と第二のフロント支持部との間に設けられる第二のリア支持部（５ｄ）と、この第二のリア支持部に回動可能に取り付けられる第二のリアスピーカーユニット（２ｄ）とを備えたことを特徴とする請求項１ないし請求項６のいずれかに記載の首掛け式スピーカーである。【００１３】  請求項８記載の本発明は、ベース部の両先端に、先端同士を、着脱自在に連結および解結を可能とする着脱部（１１）を備えたことを特徴とする請求項１ないし請求項７のいずれかに記載の首掛け式スピーカーである。
【発明の効果】
【００１４】（イ）本発明において、音源となるスピーカーユニットの音圧指向性は、両耳を繋ぐ軸上とは、大きく異なる方向に配置できることを特徴としているので、自然な音の広がりを感じられるし、臨場感も得やすい。
（ロ）本発明において、スピーカーユニットは、耳に接触又は近すぎる事を強制しないし、耳からの距離を適度に保てるので、臨場感を得ることができる。
（ハ）本発明において、スピーカーユニットは、耳に接触又は近過ぎる事を強制しないので、圧迫感や違和感、長時間使用による疲労感、耳が痒くなったり、痛くなったりするような不快感がない。
（ニ）本発明において、スピーカーユニットが耳に接触しないので、耳老廃物付着などの衛生面での懸念がない。
（ホ）本発明において、スピーカーユニットの固定方法は、頭部に弾性固定せず、また、耳に引っ掛けたりもしないので、装着することによる圧迫感や違和感が軽減され、ヘアースタイルが乱れる心配もない。
（ヘ）本発明において、スピーカーユニットの固定方法は、こめかみを両側から挟みこまないので、装着することによる圧迫感や違和感が軽減される。
（ト）本発明において、用途は限定されないので、汎用性は広い。
（チ）本発明において、最大の特徴であるところの、スピーカーユニットを首に掛ける構造とすることで、従来から、据置型スピーカーにおいて、必ず必要とされていた設置場所を必要としなくなった。ゆえに、例えば、携帯型音響再生装置をポケットに入れて、音楽を携帯型スピーカーで視聴する場合にも、従来であれば、近くにテーブルなどの置き場所が必要だったし、携帯型スピーカーの置き場所がない場合には、使用者は、それを仕方なく手に持っていたが、本発明においては、ベース部を首に掛けた状態で、音楽を視聴できる為、設置場所を気にする必要がなく、いつでも、何処でも気軽に音楽の視聴や、テレビ、その他メディアの視聴が楽しめる。
（リ）本発明において、スピーカーユニットの固定方法として、首に掛ける構造とすることで、頭部固定よりも、負荷重量による違和感や圧迫感は軽減される。肩車を例にとって説明すると、昔から肩車をする親は、子供の両脚を自分の首に掛けて、重心を安定させ、バランスをとることで、子供の体重を支えながらも、歩行すら可能であった。同じ体重を、頭部で支えることは、かなり困難だと思われる。他にも、首や肩に掛けて使用する鞄やバッグは多いが、頭に掛けて使用するものは稀有である。このようなことからも、負荷重量に対する耐性、順応性は、頭部よりも首や肩のほうが優れていると言える。また、本発明では、例えば、椅子に深く寄りかかりリラックスした姿勢で使用する場合など、聴者の身体が水平に近い状態においては、負荷重量が首だけではなく、胸部や肩部などに分散される為、その点でも、頭部固定よりも、負荷重量による違和感や圧迫感は、軽減される。また、頭部固定ではないので、ヘアースタイルが乱れる心配もない。
（ヌ）本発明において、最大の特徴は、スピーカーユニットを首に掛ける構造としたことであるが、首に掛ける湾曲したベース部の先端部に連結されたスピーカーユニットの位置が、後頭部付近に内蔵、または固定される方式ではないので、音が後ろからしか聞こえない、などといった迫力不足な状況に陥らず、フロントスピーカーとして充分な臨場感を得ることができる。【００１５】  このように、本発明によれば、従来不便であった課題が解決される。
【発明を実施するための最良の形態】  以下、本発明の実施の形態について、図面に基づいて説明する。【００１６】  図１、図２は、本発明における音圧方向（Ａ）特性の説明として、スピーカーユニット（２）を音源とする音圧方向（Ａ）を示した図面であり、図１は斜視図、図２は側面図である。【００１７】  図３から図２０までは、本発明の実施例を示す斜視図である。本発明においては、入力ソース、入力方法（有線であるか、無線であるか）、電源供給方法、を問わないことから、それらの記載は省略している。【００１８】  図２１から図２８までは、本発明の使用状態を示す斜視図である。【００１９】  図２９には、本発明の実施例における調整部（４）と支持部（５）の構造例を透視斜視図（一部断面）で示した。もちろん、他の構造での実施も可能である。本発明における調整部（４）と支持部（５）の構造は、一般的に知られる方式だけでも多数あるため、本発明においてその方式は限定しない。
【実施例１】
【００２０】  図３は、首掛け式スピーカーの本体（Ｂ）が、聴者の首の背に接する湾曲した部分を有したベース部（１）と、このベース部（１）の両先端に音源となるスピーカー前面が湾曲した部分の内側近辺方向を向くように、スピーカーユニット（２）が連結して構成された実施例である。スピーカーユニット（２）の音圧方向は、ベース部（１）の軸方向に向くように固定されている。また、本実施例では、首が触れる部位を、カバー（３）で被覆している。カバー（３）の素材は、ウレタン樹脂、ＥＶＡ樹脂、発砲ゴムなど適度なフィット感と弾力を持つものが望ましい。
【実施例２】
【００２１】  図４は、湾曲したベース部（１）と、その先端部に連結されたスピーカーユニット（２）とから構成された実施例であるが、ベース部（１）とスピーカーユニット（２）とが一体型となるように、ＰＶＣ樹脂などの合成樹脂で射出成型されている。そのことにより、製造コストの削減と、本体（Ｂ）重量の軽量化が実現する。
【実施例３】
【００２２】  図５は、全体にフレキシブルアーム部（１ａ）を使用した、湾曲したベース部（１）と、その先端部に連結されたスピーカーユニット（２）とから構成された実施例である。本実施例では、首が触れる部位を、カバー（３）で被覆している。
【実施例４】
【００２３】  図６は、全体にフレキシブルアーム部（１ａ）を使用した、湾曲したベース部（１）と、その先端部に調整部（４）を介して連結されたスピーカーユニット（２）とから構成された実施例である。本実施例では、首が触れる部位を、カバー（３）で被覆している。また、調整部（４）は、スピーカーの前面がベース部（１）の湾曲した部分の内側近辺方向を向くようにスピーカーの角度を可変可能にするために、回動、固定自在な方式を採用する。さらに、調整部（４）は、いかなる調整位置に固定された場合にあっても、また、いかなる体勢での使用状況にあっても、調整部（４）にかかる使用荷重に十分に耐えうる機構を備え、かつ、再度調整されるまで、その固定状態を保持できる機構であること。本実施例においては、図２９（ｅ）に示したような構造のボールジョイント方式を採用しているが、その他の方式でも実施可能である。
【実施例５】
【００２４】  図７は、一部にフレキシブルアーム部（１ａ）を使用した、湾曲したベース部（１）と、その先端部に連結されたスピーカーユニット（２）とから構成された実施例である。本実施例では、首が触れる部位を、カバー（３）で被覆しているが、カバー（３）は、前記ベース部（１）と一体化しているので、カバー（３）及びベース部（１）との一体化している部分についての素材は、ウレタン樹脂、ＥＶＡ樹脂、発砲ゴムなど適度なフィット感と弾力性を持つものが望ましい。
【実施例６】
【００２５】  図８は、一部にフレキシブルアーム部（１ａ）を使用した、湾曲したベース部（１）と、その先端部に調整部（４）を介して連結されたスピーカーユニット（２）とから構成された実施例である。本実施例では、首が触れる部位を、カバー（３）で被覆しているが、カバー（３）は、ベース部（１）と一体化しているので、カバー（３）及びベース部（１）との一体化している部分についての素材は、ウレタン樹脂、ＥＶＡ樹脂、発砲ゴムなど適度なフィット感と弾力性を持つものが望ましい。また、調整部（４）は、回動、固定自在な方式を採用する。さらに、調整部（４）は、いかなる調整位置に固定された場合にあっても、また、いかなる体勢での使用状況にあっても、調整部（４）にかかる使用荷重に十分に耐えうる機構を備え、かつ、再度調整されるまで、その固定状態を保持できる機構であること。本実施例においては、図２９（ｅ）に示したような構造のボールジョイント方式を採用しているが、その他の方式でも実施可能である。
【実施例７】
【００２６】  図９（ａ）は、全体にフレキシブルアーム部（１ａ）を使用した湾曲したベース部（１）と、その先端部に連結されたスピーカーユニット（２）とから構成されている。本実施例においては、フレキシブルアーム部（１ａ）と、スピーカーユニット（２）とが、外観上、一体型となるように全体が切れ目のない一つのカバーで覆われている。カバーの材質については、ウレタン樹脂、ＥＶＡ樹脂、発砲ゴムなど適度なフィット感と弾力性を持ち、伸縮性にも優れたものが望ましい。【００２７】  図９（ｂ）、（ｃ）は、実施例７において、フレキシブルアーム部（１ａ）を折り曲げて、状態変化を実施しているところである。このような状態変化をすることで、スピーカーユニット（２）の音圧方向を変更することが可能となる。また、携帯や収納に便利となる。
【実施例８】
【００２８】  図１０（ａ）は、実施例１における、スピーカーユニット（２）の向きや角度を変更できる調整部（４）をベース部（１）とスピーカーユニット（２）の間に付加したものである。また、調整部（４）は、回動、固定自在な方式を採用する。さらに、調整部（４）は、いかなる調整位置に固定された場合にあっても、また、いかなる体勢での使用状況にあっても、調整部（４）にかかる使用荷重に十分に耐えうる機構を備え、かつ、再度調整されるまで、その固定状態を保持できる機構であること。本実施例においては、図２９（ｃ）に示したような構造のネジ締め込み固定方式を採用しているが、その他の方式でも実施可能である。【００２９】  図１０（ｂ）は、図１０（ａ）における、スピーカーユニット（２）の向きや角度を変更できる調整部（４）を操作して、状態変化を実施しているところである。このような状態変化をすることで、スピーカーユニット（２）の音圧方向を変更することが可能となる。また、携帯や収納に便利となる。
【実施例９】
【００３０】  図１１（ａ）は、実施例２における、スピーカーユニット（２）の向きや角度を変更できる調整部（４）を付加したものである。調整部（４）は、回動、固定自在な方式を採用する。さらに、調整部（４）は、いかなる調整位置に固定された場合にあっても、また、いかなる体勢での使用状況にあっても、調整部（４）にかかる使用荷重に十分に耐えうる機構を備え、かつ、再度調整されるまで、その固定状態を保持できる機構であること。本実施例においては、図２９（ｄ）に示したような構造の圧入固定方式を採用しているが、その他の方式でも実施可能である。【００３１】  図１１（ｂ）は、実施例９において、スピーカーユニット（２）の向きや角度を変更できる調整部（４）を操作して、状態変化を実施しているところである。このような状態変化をすることで、スピーカーユニット（２）の音圧方向を変更することが可能となる。また、携帯や収納に便利となる。
【実施例１０】
【００３２】  図１２は、ベース部（１）と、その先端部に連結された支持部（５）と、支持部（５）に支持されたフレキシブルアーム部（１ａ）と、フレキシブルアーム部（１ａ）に調整部（４）を介して連結されたスピーカーユニット（２）とから構成された実施例である。支持部（５）と、調整部（４）は、回動、固定自在な方式を備えていること。そのことにより、支持部（５）は、折りたたみ可能となること。さらに、支持部（５）と、調整部（４）とは、いかなる調整位置に固定された場合にあっても、また、いかなる体勢での使用状況にあっても、支持部（５）、及び、調整部（４）、にかかる使用荷重に十分に耐えうる機構を備え、かつ、再度調整されるまで、その固定状態を保持できる機構であること。本実施例においては、支持部（５）の回動、固定方式は、図２９（ａ）、図２９（ｂ）に示したような構造のボルトナット締めによる固定方式を採用し、調整部（４）については、図２９（ｅ）に示したような構造のボールジョイント方式を採用しているが、その他の方式でも実施可能である。また、首が触れる部位を、カバー（３）で被覆している。
【実施例１１】
【００３３】  図１３は、実施例１０における、支持部（５）が、ベース部（１）上で、移行と、固定と、を自在に行うことを可能とする機構を備え、同時に、支持部（５）に支持されたフレキシブルアーム部（１ａ）と、調整部（４）によって、スピーカーユニット（２）の音圧方向調節の自由度と、利便性を高めた実施例である。このような構成とすることにより、実施例１１よりもフレキシブルアーム部（１ａ）の長さを短くすることが可能となり、結果として、支持部（５）とスピーカーユニット（２）の安定化、ぐらつき防止、に貢献する。支持部（５）と、調整部（４）とは、回動、固定自在な方式を備えていること。そのことにより、支持部（５）は、折りたたみ可能となること。さらに、支持部（５）と、調整部（４）とは、いかなる調整位置に固定された場合にあっても、また、いかなる体勢での使用状況にあっても、支持部（５）、及び、調整部（４）、にかかる使用荷重に十分に耐えうる機構を備え、かつ、再度調整されるまで、その固定状態を保持できる機構であること。本実施例においては、支持部（５）の回動、固定方式は、図２９（ａ）、図２９（ｂ）に示したような構造のボルトナット締めによる固定方式を採用し、調整部（４）については、図２９（ｅ）に示したような構造のボールジョイント方式を採用しているがその他の方式でも実施可能である。また、首が触れる部位を、カバー（３）で被覆している。本実施例におけるコード（７）の実施方法は、カバー（３）中心部付近からの外部電源入力を想定しているが、支持部（５）の操作に支障がなければ、コード（７）の実施方法については特に限定しない。使用に際してコード（７）が邪魔になるようであれば、コード（７）を、ベース部（１）に巻きつけたカールコード方式を採用することも有効と思われる。また、ベース部（１）の先端部にはズレ防止の為のグリップ部（６）を設けている。グリップ部（６）のグリップ素材は、カバー（３）の素材同様に、ウレタン樹脂、ＥＶＡ樹脂、発砲ゴムなど適度なフィット感と弾力性を持つものが望ましい。また、後のメンテナンスを考慮するのであれば、グリップ部（６）を、嵌脱自在な方式にして、支持部（５）の着脱を可能とすることも有効な手段である。
【実施例１２】
【００３４】  図１４は、実施例１１における、フレキシブルアーム部（１ａ）の代替として、ボールジョイント方式を採用した管状アーム部（１ｂ）とし、調整部（４）を、管状アーム部（１ｂ）の上下２箇所に設けることにより、スピーカーユニット（２）の音圧方向調節の自由度と利便性を高めた実施例である。前記管状アーム部（１ｂ）におけるボールジョイントは、使用荷重に十分に耐えうる機構を備え、かつ、再度調整されるまで、その固定状態を保持できる機構であること。その他の構成は、実施例１１に準ずるものである。【００３５】  図１５（ａ）、（ｂ）、（ｃ）は、実施例１１におけるベース部（１）上で、支持部（５）と、フレキシブルアーム部（１ａ）と、調整部（４）とを自在に動かし、状態変化を実施しているところである。いずれも、本実施例におけるスピーカーユニット（２）の音圧方向調節の自由度と利便性の高さを示したものである。
【実施例１３】
【００３６】  図１６（ａ）は、実施例１２における、ボールジョイント方式を採用した管状アーム部（１ｂ）の代替として、短いアーム部（１ｃ）を採用した実施例である。短いアーム部（１ｃ）を採用することにより、調整部（４）に負荷される荷重が軽減され、支持部（５）とスピーカーユニット（２）の安定化、ぐらつき防止、においては、実施例１２よりも大幅に向上する。反面、聴者の両耳の高さまで、スピーカーユニット（２）が届かなくなるという点においては、実施例１２よりも若干、音圧方向の調整幅は狭くなることが考えられる。とはいえ、聴者の両耳へ向けて、斜め下から音圧方向調整することは充分可能である。【００３７】  図１６（ｂ）は、実施例１３における、支持部（５）と、短いアーム部（１ｃ）と、調整部（４）とを自在に動かし、状態変化を実施しているところである。また、支持部（５）に貫通している、ベース部（１）の円周方向に、支持部（５）を１８０度回動し、固定することにより、左右のスピーカーユニット（２）同士の距離を近づけている。このように、支持部（５）がベース部（１）の円周方向に回動、固定自在であることは、本実施例と同様に支持部（５）を持つ他の実施例においても望ましいことではあるが、コード（７）保護のため、回動する限度を１８０度に制約する構造とするなどの対策が必要である。
【実施例１４】
【００３８】  図１７は、図１６（ａ）、（ｂ）における支持部（５）に、回動、固定自在な方式で、スピーカーユニット（２）が、直接連結された実施例である。スピーカーユニット（２）は円筒形であり、円形部中心から円周方向へ向けて音圧が出力される。スピーカーユニット（２）をそれ自身の円周方向へ回動、固定することで、あるいは、ベース部（１）上を、移行と、固定と、を自在に行うことで、音圧方向調節の自由度と、利便性を高めた実施例である。その他の構成は、実施例１２に準ずるものである。
【実施例１５】
【００３９】  図１８（ａ）は、実施例１１及び実施例１３の形態を同時に実施することを可能とする実施例である。また、図１８（ｂ）において、コネクタ接続可能な、第一のフロント支持部（５ａ）と第二のフロント支持部（５ｂ）の内部構造概略を部分透視斜視図に拡大して示した。本実施例においては、ベース部（１）の先端部に設けられたズレ防止のためのグリップ部（６）は、嵌脱自在な方式になっている。第一のフロント支持部（５ａ）と、第二のフロント支持部（５ｂ）の内部には、部分透視斜視図に示したように、第一のフロントスピーカーユニット（２ａ）と、第二のフロントスピーカーユニット（２ｂ）とに、電源を供給するためのコネクタ内部配線（１０）が構成されている。このコネクタ内部配線（１０）の先端部には、コネクタ（９）が設けられ、ベース部（１）先端部に設けられたコネクタ差込口（８）に接続、固定可能な方式となっている。第一のリア支持部（５ｃ）及び第一のリアスピーカーユニット（２ｃ）と、第二のリア支持部（５ｄ）及び第二のリアスピーカーユニット（２ｄ）とは、実施例１１の構成に準ずるものである。コネクタ（９）と、コネクタ差込口（８）との嵌着方式については、特に限定するものではないが、第一のフロント支持部（５ａ）及び第一のフロントスピーカーユニット（２ａ）と、第一のフロント支持部（５ｂ）及び第二のフロントスピーカーユニット（２ｂ）と、が使用中に脱落したりしないように、ストッパーを設けたり、ネジ止め方式とするなど、必要な措置を講じることが望ましい。また、グリップ部（６）には、紛失防止用の紐をつけるなど、紛失防止対策を講じることが望ましい。その他の構成は、実施例１３に準ずるものである。
【実施例１６】
【００４０】  図１９は、ベース部（１）の先端部に、両先端部同士を、着脱自在に、連結と、解結と、を可能とする着脱部（１１）を備え、ベース部（１）が円環状または楕円形状とする実施例である。ベース部（１）の両先端部をつなぎ合わせることで、聴者の首から本体（Ｂ）が落下することを防止すると同時に、ベース部（１）全体の形状が、円形になり、スピーカーユニット（２）を回動自在に連結した支持部（５）の、ベース部（１）上における、移行と、固定と、の実施範囲がほぼ３６０度まで広がる。本実施例における、スピーカーユニット（２）を回動自在に連結した支持部（５）の、ベース部（１）上における、移行と、固定との実施方法については、スピーカーユニット（２）下部に連結して設けられたクリップなどによりベース部（１）に挟装したり、ボルトナットによる締着などの簡略な方式を想定しているが、その他の方式でも実施可能である。本実施例における、ベース部（１）の両先端部をつなぎ合わせる、着脱部（１１）の実施方法は、マグネット方式を想定しているが、容易な操作で着脱できる方式であれば、他の方法でも実施可能である。その場合には、聴者の首を締付ける危険がないように、一定以上の力がベース部（１）に加わると、自動的に結合が外れるような機構とするなど、安全面に留意することが望ましい。
【実施例１７】
【００４１】  図２０は、実施例１６における、スピーカーユニット（２）の数を増やした実施例である。それに伴って、支持部（５）または調整部（４）の数も当然増える。本実施例における、スピーカーユニット（２）を回動自在に連結した前記支持部（５）の、円環状または楕円形状のベース部（１）上における、移行と、固定との実施方法については、実施例１６に準ずる。【００４２】  各実施例において、ベース部（１）は、その内部に空洞を持つ管状、を想定しているが、他の形状でも実施可能である。【００４３】  各実施例において、スピーカーユニット（２）に電源を供給するコード（７）の配線方式はおもに、ベース部（１）内部に配線する方式と、ベース部（１）外部に露出配線する方式とが考えられる。しかしながら、スピーカーユニットへの配線方式及び配線経路と、ベース部（１）の形状、材質、とは、相対的に影響し合うものなので、相対的判断にもとづいて、ベース部（１）の形状や材質、各配線方式や配線経路、を選択する。【００４４】  本発明における、音源の入力ソースとは、例えば、ビデオデッキ、テレビ、ラジオ、ＣＤ、ＤＶＤ、パソコン、モバイル機器、携帯電話、携帯デジタル音楽プレーヤー、などである。また、入力方法とは、例えば、ピンジャック入力や、ＵＳＢ端子入力などの有線によるものや、赤外線入力、Ｂｌｕｅｔｏｏｔｈ入力などの無線によるもの、などである。
電源供給方法とは、例えば、アダプタ方式、乾電池方式、充電電池方式、ＵＳＢ供給方式、などである。【００４５】  従って各実施例において、例えば乾電池方式を採用するのであれば、ベース部（１）の任意の箇所に、乾電池収納場所を設けるような形状になるし、携帯デジタル音楽プレーヤー本体を装着できるような場所が必要となれば、やはりそのような形状となるだろう。また、小型のウーハー装置や、バイブレーション装置、をベース部（１）の任意の箇所に、内蔵、または外付けすることで、より一層、聴者の音体験の選択肢が広がるだろう。そのような付属装置または、拡張装置を、実施例１５で示したような方法、すなわち、グリップ部（６）と嵌脱自在に取替えるような方法で接続するようにすれば、音の種別や雰囲気などに合わせて、聴者が自由に、かつ、手軽に利用することができるので、有効な手段といえる。【００４６】  本発明においては、支持部（５）から、スピーカーユニット（２）までの距離、すなわち、フレキシブルアーム部（１ａ）、管状アーム部（１ｂ）または調整部（４）、の長さが長くなるほど、支持部（５）または、ベース部（１）にかかる捻じれの力が増加する。従って、本発明におけるベース部（１）を含む各構成部は、折れたり、曲がったりしないように充分な耐性を持ち、かつ、できうる限り軽量である素材を使用することが望ましい。例えば、ＡＢＳ樹脂、硬質ＰＶＣ樹脂、ＥＶＡ樹脂、ウレタン樹脂など、硬度を調整しやすい素材である合成樹脂の使用が有効である。また、ベース部（１）の形状としては、捻じれの力に耐性がある管状での実施が望ましい。平面形状での実施であれば、容易に捻じれたり、曲がったりしないように、硬質で、なおかつ、軽量な金属類を素材として使用したものが望ましい。ベース部（１）の素材に金属類を使用する場合には、首が触れる部位を、カバー（３）で被覆して首部保護をすることが望ましい。【００４７】  本発明における支持部（５）の構造例を、図２９（ａ）、（ｂ）、調整部（４）の構造例を、図２９（ｃ）、（ｄ）、（ｅ）にて概略を説明する。図２９（ａ）において、回動部（１２ｂ）を任意の位置で固定させるときには、回動部ツマミ（１２ａ）を回転して移行部（１２ｅ）内部に組み込まれたナット（１２ｄ）に回動部ボルト（１２ｃ）をねじ込み固定する。回動部（１２ｂ）を動かすときには、その逆の作業を行う。また、支持部（５）をベース部（１）上の任意の位置で固定するときには、移行部ツマミ（１２ｆ）を回転して移行部（１２ｅ）内部を貫通しているベース部（１）に移行部ボルト（１２ｇ）を締め付け固定する。移行部（１２ｅ）を移行するときには、その逆の作業を行う。図２９（ｂ）においては、回動部（１２ｂ）と移行部（１２ｅ）の接触部を相互に嵌めこむことで保持できるギア加工（１３）している。接触部の素材に、ウレタン樹脂、ＥＶＡ樹脂、発砲ゴムなど適度なフィット感と弾力性を持つものを使用することで、ほんの少し回動部ツマミ（１２ａ）を回転するだけで調整が可能となる。図２９（ｃ）においては、縁付管状部材（１４ａ）の凸部は、結合部材（１４ｂ）の凹部に回動自在にはめ込まれている。固定方法は、オスネジ管状部材（１４ｃ）をメスネジ結合部材（１４ｂ）に差し込み、締め付ける方向へ回転し、縁付管状部材（１４ａ）の凸部をメスネジ結合部材（１４ｂ）の凹部上方との間に挟みこむことで行う。オスネジ（１４ｃ）を緩めれば、再び回動可能となる。図２９（ｄ）においては、一方の管状部材（１５ａ）の先端部を、他方の管状部材（１５ｃ）に挿入し、圧入固定する。他方の管状部材（１５ｃ）の内径（１５ｄ）よりも、一方の管状部材（１５ａ）の先端部外径（１５ｅ）は大きい。一方の管状部材（１５ａ）の先端部内部には、コード通し穴（１５ｂ）を設ける。また、一方の管状部材（１５ａ）の先端部の素材は、ウレタン樹脂、ＥＶＡ樹脂、発砲ゴムなど適度なフィット感、弾力性、伸縮性を持つものを使用する。図２９（ｅ）においては、小球体（１６ａ）に椀部（１６ｂ）を冠着させることにより、水平方向へ回動自在になり、椀部（１６ｂ）の一部に凹部（１６ｃ）を設けることで、垂直方向へも半回動自在となる。この方式は一般的にボールジョイント方式として知られている。【００４８】  以上が、本発明の主たる構成を示した実施例であるので、本発明の使用に際しては、以下に使用例を示す。【００４９】  図１、図２は、本発明における代表的な使用状況と、音圧方向（Ａ）特性を示したものである。聴者は湾曲上のベース部（１）を首に掛けて使用する。従来のヘッドホンでは、音源である小型スピーカーユニットの音圧方向（Ａ）は、聴者の両耳を繋ぐ軸方向と、ほぼ同一であった。しかし、本発明においては、スピーカーユニット（２）を音源とする音圧方向（Ａ）は、首の背に接するベース部（１）の湾曲した部分の内側近辺方向を向くために、聴者の両耳を繋ぐ軸方向とは大きく異なる位置に配置でき、同時に首掛け式とすることで、設置場所を必要としないことを最大の特徴とする。【００５０】  図３、図４において、聴者は、湾曲状のベース部（１）を首に掛けて使用する。聴者が首からぶら下げた状態で、左右のスピーカーユニット（２）の音圧方向が、聴者の両耳方向を向くので、従来ヘッドホンでは得ることが困難であった、空気振動による、自然な音の広がりと、迫力ある臨場感を容易に得ることができる。なおかつ、首掛け式とすることで、据置型のスピーカーのように、固定する設置場所を必要とせずに、それを可能とした。また、聴者による使用状態の斜視図を、図２１、図２２に示した。【００５１】  図５において、聴者は、湾曲状のベース部すなわちフレキシブルアーム部（１ａ）、を首に掛けて使用する。ベース部全体が、フレキシブルアーム部（１ａ）であるので、聴者が好きな形状に折り曲げて、スピーカーユニット（２）の位置調節や、音圧方向調整を、自由に、かつ、容易に実施できる。このことにより、聴者は、好みのスピーカー位置調節を、映画鑑賞や音楽鑑賞、といった音の種別や特性、また、騒々しい場所や静寂な場所、といった使用環境に応じて、楽しむことができる。また、ヘッドホンでは得ることが困難であった、空気振動による、自然な音の広がりと、迫力ある臨場感を容易に得ることができ、なおかつ、据置型のスピーカーのように、固定する設置場所を必要とせずに、首掛け式とすることによって、それを可能とした。【００５２】  図６において、聴者は、湾曲状のベー��部すなわちフレキシブルアーム部（１ａ）、を首に掛けて使用する。ベース部全体が、フレキシブルアーム部（１ａ）であるので、聴者が好きな形状に折り曲げて、スピーカーユニット（２）の位置調節や、音圧方向調整を、自由に、かつ、容易に実施できる。このことにより、聴者は、好みのスピーカー位置調節を、映画鑑賞や音楽鑑賞、といった音の種別や特性、また、騒々しい場所や静寂な場所、といった使用環境に応じて、楽しむことができる。また、ヘッドホンでは得ることが困難であった、空気振動による、自然な音の広がりと、迫力ある臨場感を容易に得ることができ、なおかつ、据置型のスピーカーのように、固定する設置場所を必要とせずに、首掛け式とすることによって、それを可能とした。また、本実施形態においては、フレキシブルアーム部（１ａ）だけではなく、調整部（４）を動かす機能が設けられていることで、フレキシブルアーム部（１ａ）を動かすことなく、スピーカーユニット（２）の向きや角度だけを素早く調整したい時などに利便性が高くなっている。【００５３】  図７において、聴者は、湾曲状のベース部（１）を首に掛けて使用する。ベース部（１）の一部が、フレキシブルアーム部（１ａ）であるので、聴者が好きな形状に折り曲げて、スピーカーユニット（２）の位置調節や、音圧方向調整を、自由に、かつ、容易に実施できる。このことにより、聴者は、好みのスピーカー位置調整を、映画鑑賞や音楽鑑賞、といった音の種別や特性、また、騒々しい場所や静寂な場所、といった使用環境に応じて、楽しむことができる。また、ヘッドホンでは得ることが困難であった、空気振動による、自然な音の広がりと、迫力ある臨場感を容易に得ることができ、なおかつ、据置型のスピーカーのように、固定する設置場所を必要とせずに、首掛け式とすることによって、それを可能とした。また、聴者による使用状態の斜視図を、図２３に示した。【００５４】  図８において、聴者は、湾曲状のベース部（１）を首に掛けて使用する。ベース部（１）の一部が、フレキシブルアーム部（１ａ）であるので、聴者が好きな形状に折り曲げて、スピーカーユニット（２）の位置調節や、音圧方向調整を、自由に、かつ、容易に実施できる。このことにより、聴者は、好みのスピーカー位置調整を、映画鑑賞や音楽鑑賞、といった音の種別や特性、また、騒々しい場所や静寂な場所、といった使用環境に応じて、楽しむことができる。また、ヘッドホンでは得ることが困難であった、空気振動による、自然な音の広がりと、迫力ある臨場感を容易に得ることができ、なおかつ、据置型のスピーカーのように、固定する設置場所を必要とせずに、首掛け式とすることによって、それを可能とした。また、本実施形態においては、フレキシブルアーム部（１ａ）だけではなく、調整部（４）を動かす機能が設けられていることで、フレキシブルアーム部（１ａ）を動かすことなく、スピーカーユニット（２）の向きや角度だけを素早く調整したい時などに利便性が高くなっている。【００５５】  図９（ａ）、（ｂ）、（ｃ）、において、聴者は、湾曲状のベース部すなわちフレキシブルアーム部（１ａ）、を首に掛けて使用する。ベース部全体が、フレキシブルアーム部（１ａ）であるので、��者が好きな形状に折り曲げて、スピーカーユニット（２）の位置調節や、音圧方向調整を容易に実施できる。なお、外観上、一体型となるように全体をカバー（３）で被覆しているので、本体（Ｂ）内部に埃や塵が付着、混入したりすることを防ぐことができる。【００５６】  図１０（ａ）において、聴者は、湾曲状のベース部（１）を首に掛けて使用する。聴者が首からぶら下げた状態で、左右に２箇所ずつ設けられた調整部（４）を、動かすことで、スピーカーユニット（２）同士の距離を近づけたり、遠ざけたり、あるいは、音圧方向を、上方向、下方向に変化させたり、といった調整が容易に実施できる。図１０（ｂ）では、実際に調整部（４）を動かして、状態変化を実施している。【００５７】  図１１（ａ）において、聴者は、湾曲状のベース部（１）を首に掛けて使用する。聴者が首からぶら下げた状態で、左右に２箇所ずつ設けられた調整部（４）を、動かすことで、スピーカーユニット（２）同士の距離を近づけたり、遠ざけたり、あるいは、音圧方向を、上方向、下方向に変化させたり、といった調整が容易に実施できる。図１１（ｂ）では、実際に調整部（４）を動かして、状態変化を実施している。【００５８】  図１２において、聴者は、湾曲状のベース部（１）を首に掛けて使用する。図２４にあるように、まず聴者は、ベース部（１）を首に掛ける。次に、支持部（５）に支持されたフレキシブルアーム部（１ａ）を、支持部（５）の円周方向に回動させ、スピーカーユニット（２）を好みの位置で固定する。次に、フレキシブルアーム部（１ａ）を、必要に応じて、折り曲げ、スピーカーユニット（２）を、聴者の好みの位置、角度に調整する。最後に、必要であれば、調整部（４）を動かし、スピーカーユニット（２）の音圧方向の微調整をして、セッティングは完了する。また、聴者による使用状態の斜視図を、図２４に示した。【００５９】  図１３において、聴者は、湾曲状のベース部（１）を首に掛けて使用する。図２５にあるように、まず聴者は、ベース部（１）を首に掛ける。次に、支持部（５）を、ベース部（１）上で移動し、好みの位置で固定する。次に、支持部（５）に支持されたフレキシブルアーム部（１ａ）を、支持部（５）の円周方向に回動させ、好みの位置で固定する。また、フレキシブルアーム部（１ａ）を、必要に応じて折り曲げて、スピーカーユニット（２）を、聴者の好みの位置・角度に調整する。最後に、必要であれば、調整部（４）を動かし、スピーカーユニット（２）の音圧方向の微調整をして、セッティングは完了する。【００６０】  図１４において、聴者は、湾曲状のベース部（１）を首に掛けて使用する。使用法や効果は、図１４に準ずるものである。一部、異なる点は、支持部（５）に支持されたフレキシブルアーム部（１ａ）の代わりに、ボールジョイント方式を採用した管状アーム部（１ｂ）を使用している点である。聴者は、管状アーム部（１ｂ）の上下２箇所に設けられた調整部（４）を調整することによって、フレキシブルアーム部（１ａ）と、ほぼ同様の操作手順で、ほぼ同等の効果を得ることができる。【００６１】  図１５（ａ）、（ｂ）、（ｃ）、は、図１３の形状変化を実施しているところである。図２５（ａ）、（��）、（ｃ）、に聴者による使用状態の斜視図を示した。図２５（ｃ）においては、一方のスピーカーユニット（２）が、位置調整されて聴者の耳後方にセッティングされている。このように、前記スピーカーユニット（２）をフロントスピーカーとして使用するだけではなく、リアスピーカーとしても使用できる構造とすることで、聴者のより幅広い音楽的要求にも対応できるものである。【００６２】  図１６（ａ）、（ｂ）、において、聴者は、湾曲状のベース部（１）を首に掛けて使用する。使用法や効果は、図１３に準ずるものである。一部、異なる点は、支持部（５）に支持されたフレキシブルアーム部（１ａ）の代わりに、短いアーム部（１ｃ）を使用している点である。短いアーム部（１ｃ）を使用することで、本体（Ｂ）の軽量化を計り、また、支持部（５）にかかる荷重負担が軽くなることにより、聴者は、操作上の安定感を得られるものである。【００６３】  図１７において、聴者は、湾曲状のベース部（１）を首に掛けて使用する。使用法や効果は、図１３に準ずるものである。一部、異なる点は、支持部（５）に、スピーカーユニット（２）が直接連結されている点である。連結されたスピーカーユニット（２）を、それ自身の円周方向へ回動、固定することで、音圧方向調節を素早く、簡単に行うことができる。また、本実施形態のように、スピーカーユニット（２）と、聴者の身体と、の接触面積が大きくなると、本体（Ｂ）の安定性が増す。さらに、スピーカーユニット（２）の口径を大きくすることで、より大きな出力を得ることが可能となると同時に、スピーカーユニット（２）と聴者の両耳との距離が近づくことになる。フレキシブルアーム部（１ａ）や、ボールジョイント方式を採用した管状アーム部（１ｂ）を使用せずに、聴者の両耳にスピーカーユニットを近づける方法として有効であり、しかも、安定性に優れている。【００６４】  図１８（ａ）、（ｂ）、において、聴者は、湾曲状のベース部（１）を首に掛けて使用する。使用法や効果は、図１３、図１６（ａ）、（ｂ）、に準ずるものである。一部、異なる点は、グリップ部（６）を嵌脱自在とし、ベース部（１）先端に設けられたコネクタ差込部（８）に、コネクタ（９）を嵌着することで、第一のフロント支持部（５ａ）または第二のフロント支持部（５ｂ）のコネクタ内部配線（１０）を接続する点である。聴者は、まず、ベース部（１）の一方の先端部に設けられたグリップ部（６）を外して、第一のフロント支持部（５ａ）と、第一のフロント支持部（５ａ）に回動自在に取り付けられた第一のフロントスピーカーユニット（２ａ）とを、コネクタ（９）をコネクタ差込部（９）に嵌めて接続する。同様に、ベース部（１）の他方の先端部に設けられたグリップ部（６）を外して、第二のフロント支持部（５ｂ）と、第二のフロント支持部（５ｂ）に回動自在に取り付けられた第二のフロントスピーカーユニット（２ｂ）とを、コネクタ（９）をコネクタ差込部（８）に嵌めて接続する。次に、聴者は、第一のリア支持部（５ｃ）または第二のリア支持部（５ｄ）を、ベース部（１）上で移動し、好みの位置で固定する。そして、第一のリア支持部（５ｃ）または第二のリア支持部（５ｄ）に支持されたフレキシブ��アーム部（１ａ）を、回動させ、好みの位置で固定する。また、フレキシブルアーム部（１ａ）を、必要に応じて折り曲げて、第一のリアスピーカーユニット（２ｃ）または第二のリアスピーカーユニット（２ｄ）を、聴者の好みの位置・角度に調整する。最後に、必要であれば、調整部（４）を動かし、第一のフロントスピーカーユニット（２ａ）、第二のフロントスピーカーユニット（２ｂ）、第一のリアスピーカーユニット（２ｃ）、第二のリアスピーカーユニット（２ｄ）、の音圧方向の微調整をして、セッティングは完了する。このことによって、ヘッドホンでは得ることが困難であった、空気振動による、自然な音の広がりと、迫力ある４チャンネルの臨場感を、容易に得ることができ、なおかつ、据置型のスピーカーのように、固定する設置場所を必要とせずに、首掛け式とすることによって、それを可能とした。もちろん、第一のスピーカーユニット（２ａ）または第二のスピーカーユニット（２ｂ）、が連結された第一のフロント支持部（５ａ）、または第二のフロント支持部（５ｂ）の代わりに、ウーハー装置や、バイブレーション機器などを連結する形態も考えられる。または、携帯デジタル音楽機器、携帯電話、小型テレビなどの小型電子機器などを直接連結できるような形状にすることも、聴者の楽しみの選択肢が増えることとなり、かつ、利便性も高まる。このように、ベース部（１）先端にコネクタを設けて、付加機能を増設することは、拡張性を広げるという点で非常に有効な手段である。また、聴者による使用状態の斜視図を、図２６に示した。【００６５】  図１９において、聴者は、円環状または楕円形状に形成されたベース部（１）を首に掛けて使用する。使用法や効果は、他の実施例とほぼ同様であるが、一部、異なる点は、ベース部（１）の両先端部同時が、着脱自在となっていることである。これは、聴者の首から本体（Ｂ）が落下することを防止するという効果がある。そのために聴者は、マグネット吸着などの簡易な方法からなる、着脱部（１１）を操作して、ベース部（１）の両先端部をつなぐ。後は、支持部（５）の移行と、固定とによって、スピーカーユニット（２）の位置を調整し、必要であれば、調整部（４）を動かして、音圧方向を微調整してセッティングは完了する。このように軽量かつ簡略な方法で、なおかつ、本体（Ｂ）の落下防止策も考慮されている本実施例は、屋内での使用のみならず、持ち運び用途や、アウトドアでの利用などにも適している。また、聴者による使用状態の斜視図を、図２７に示した。【００６６】  図２０において、聴者は、円環状または楕円形状のベース部（１）を首に掛けて使用する。使用法や効果は、図１９に準ずるものであるが、図１９より支持部（５）、調整部（４）、スピーカーユニット（２）、の数が増えているので、それぞれの位置調整あるいは微調整を必要とする。その点では、図１８のセッティング方法とほぼ同様である。また、聴者による使用状態の斜視図を、図２８に示した。
【図面の簡単な説明】
【００６７】
【図１】本発明の音圧方向特性を示した斜視図
【図２】本発明の音圧方向特性を示した側面図
【図３】本発明の実施例１の斜視図
【図４】本発明の実施例２の斜視図
【図５】本発明の実施例３の斜視図
【図６】本発明の実施例４の斜視図
【図７】本発明の実施例５の斜視図
【図８】本発明の実施例６の斜視図
【図９】本発明の実施例７の斜視図であって、（ａ）（ｂ）（ｃ）は形状の変化を示す図
【図１０】本発明の実施例８の斜視図であって、（ａ）（ｂ）は形状の変化を示す図
【図１１】本発明の実施例９の斜視図であって、（ａ）（ｂ）は形状の変化を示す図
【図１２】本発明の実施例１０の斜視図
【図１３】本発明の実施例１１の斜視図
【図１４】本発明の実施例１２の斜視図
【図１５】本発明の実施例１１の斜視図であって、（ａ）（ｂ）（ｃ）は形状の変化を示す図
【図１６】本発明の実施例１３の斜視図であって、（ａ）（ｂ）は形状の変化を示す図
【図１７】本発明の実施例１４の斜視図
【図１８】本発明の実施例１５の斜視図であって、（ａ）（ｂ）は形状の変化を示す図
【図１９】本発明の実施例１６の斜視図
【図２０】本発明の実施例１７の斜視図
【図２１】実施例１の使用状態を示す斜視図
【図２２】実施例２の使用状態を示す斜視図
【図２３】実施例５の使用状態を示す斜視図
【図２４】実施例１０の使用状態を示す斜視図
【図２５】実施例１１の使用状態を示す斜視図であって、（ａ）（ｂ）（ｃ）は形状の変化を示す図
【図２６】実施例１５の使用状態を示す斜視図
【図２７】実施例１６の使用状態を示す斜視図
【図２８】実施例１７の使用状態を示す斜視図
【図２９】調整部（４）と支持部（５）の構造例を示す透視斜視図（一部断面）
【符号の説明】
【００６８】  Ａ    音圧方向
Ｂ    本体
１    ベース部
１ａ  フレキシブルアーム部
１ｂ  管状アーム部
１ｃ  短いアーム部
２    スピーカーユニット
２ａ  第一のフロントスピーカーユニット
２ｂ  第二のフロントスピーカーユニット
２ｃ  第一のリアスピーカーユニット
２ｄ  第二のリアスピーカーユニット
３    カバー
４    調整部
５    支持部
５ａ  第一のフロント支持部
５ｂ  第二のフロント支持部
５ｃ  第一のリア支持部
５ｄ  第二のリア支持部
６    グリップ部
７    コード
８    コネクタ差込部
９    コネクタ
１０    コネクタ内部配線
１１    着脱部
１２ａ  回動部ツマミ
１２ｂ  回動部
１２ｃ  回動部ボルト
１２ｄ  ナット
１２ｅ  移行部
１２ｆ  移行部ツマミ
１２ｇ  移行部ボルト
１３    ギア加工
１４ａ  縁付管状部材
１４ｂ  メスネジ結合部材
１４ｃ  オスネジ管状部材
１５ａ  一方の管状部材
１５ｂ  コード通し穴
１５ｃ  他方の管状部材
１５ｄ  他方の管状部材の内径
１５ｅ  一方の管状部材の先端部外径
１６ａ  小球体
１６ｂ  椀部
１６ｃ  凹部
【図１】
2009201088.tif 000003
【図２】
2009201088.tif 000004
【図３】
2009201088.tif 000005
【図４】
2009201088.tif 000006
【図５】
2009201088.tif 000007
【図６】
2009201088.tif 000008
【図７】
2009201088.tif 000009
【図８】
2009201088.tif 000010
【図９】
2009201088.tif 000011
【図１０】
2009201088.tif 000012
【図１１】
2009201088.tif 000013
【図１２】
2009201088.tif 000014
【図１３】
2009201088.tif 000015
【図１４】
2009201088.tif 000016
【図１５】
2009201088.tif 000017
【図１６】
2009201088.tif 000018
【図１７】
2009201088.tif 000019
【図１８】
2009201088.tif 000020
【図１９】
2009201088.tif 000021
【図２０】
2009201088.tif 000022
【図２１】
2009201088.tif 000023
【図２２】
2009201088.tif 000024
【図２３】
2009201088.tif 000025
【図２４】
2009201088.tif 000026
【図２５】
2009201088.tif 000027
【図２６】
2009201088.tif 000028
【図２７】
2009201088.tif 000029
【図２８】
2009201088.tif 000030
【図２９】
2009201088.tif 000031